(57)【要約】【課題】  テレビ本体を壁面、ラック等に取り付け、配置したテレビ本体のたわみによる前傾姿勢及び向きを修正可能とした固定目的部へのテレビ取り付け装置を得る。【解決手段】  固定目的部2に固定する固定体3に、回動可能な第１アーム4のを接続し、この第１アーム4に回動可能に第２アーム5を接続し、この第２アーム5に、係合片31を突出した係合板6を回動可能に接続する。この係合板6の係合片31を挿入係合可能とした係合受部48を突出して係合杆7を形成し、この係合杆7を、テレビ本体8に固定するための固定用アングル10に、各々支軸11を介して回動可能に軸支する。係合杆7には、固定用アングル10の方向に進退する調整体49を螺着挿通し、この調整体49を固定用アングル10に接続し、調整体49を進退して係合杆7と固定用アングル10との接続角度を調整可能とする。【選択図】図１
2008167232.tif 000002
【特許請求の範囲】
【請求項１】
固定目的部に固定するための固定体に、水平方向に回動可能な第１アームの一端を接続し、この第１アームの他端に水平方向に回動可能に第２アームの一端を接続し、この第２アームの他端に、上下方向に係合片を突出した上端部を備えた係合板を水平方向に回動可能に接続し、この係合板の係合片を挿入係合可能とした係合受部を側面に突出して複数の係合杆を形成し、この係合杆を、テレビ本体に一定の間隔を介して固定するための複数の固定用アングルに、各々支軸を介して回動可能に軸支するとともに、係合杆に、連結した固定用アングルの方向に進退する調整体を螺着挿通し、この調整体を固定用アングルに接続し、調整体を進退して係合杆と固定用アングルとの接続角度を調整可能としたことを特徴とする固定目的部へのテレビ取り付け装置。
【請求項２】
複数の係合杆の係合受部には、係合板の上端に突当てる突当ネジを上下方向に貫通螺着し、係合杆毎に、突当ネジの係合片への突当て長さを調整することにより、テレビ本体の左右方向の傾斜を調整可能としたことを特徴とする請求項１の固定目的部へのテレビ取り付け装置。
【請求項３】
固定体は、固定目的部に固定するための固定板と、この固定板の側面に固定突出し上下方向に挿通穴を貫通した第１固定筒とからなることを特徴とする請求項１の固定目的部へのテレビ取り付け装置。
【請求項４】
第１アームと固定体との接続は、固定体の第１固定筒の上部にスラストベアリングを介して第１アームの第１上部アーム板の一端を水平に配置するとともに、第１固定筒の下部にスライドスペーサーを介して第１アームの第１下部アーム板の一端を第１上部アーム板と平行に配置し、この第１上部アーム板の一端と第１下部アーム板の一端及び第１固定筒を貫通して第１連結軸を第１固定筒の挿通穴に挿通することにより、第１アームを固定体に水平方向回動自在に接続するとともに、第１下部アーム板の一端外面から第１連結軸まで締付ネジを貫通し、第１下部アーム板と第１固定筒とのスライドスペーサーを介した接触強度を調整可能としたことを特徴とする請求項１又は３の固定目的部へのテレビ取り付け装置。
【請求項５】
第２アームと第１アームとの接続は、第２固定筒の上端に、第１アームの第１上部アーム板の他端を配置し、この第１上部アーム板の上部にスラストベアリングを介して第２アームの第２上部アーム板の一端を水平に配置するとともに、第２固定筒の下端に、第１下部アーム板の他端を配置し、この第１下部アーム板の下部に、スライドスペーサーを介して第２アームの第２下部アーム板の一端を、第２上部アーム板と平行に配置し、第２上部アーム板の一端と第２下部アーム板の一端、第１上部アーム板の他端と第１下部アーム板の他端及び第２固定筒の挿通穴を貫通して第２連結軸を挿通することにより、第２アームを第１アームに水平方向回動自在に接続するとともに、第２下部アーム板の一端外面から第２連結軸まで締付ネジを貫通し、第１下部アーム板と第２下部アーム板とのスライドスペーサーを介した接触強度を調整可能としたことを特徴とする請求項１、３又は４の固定目的部へのテレビ取り付け装置。
【請求項６】
係合板は、上端に係合片を水平方向に突出するとともに、第２アーム方向の側面に第３固定筒を固定突出し、この第３固定筒の上下方向に挿通穴を貫通したものであることを特徴とする請求項１の固定目的部へのテレビ取り付け装置。
【請求項７】
係合板と第２アームとの接続は、係合板の側面に突出した第３固定筒の上部にスラストベアリングを介して第２アームの第２上部アーム板の他端を水平に配置するとともに、第３固定筒の下端に、スライドスペーサーを介して第２アームの第２下部アーム板の他端を、第２上部アーム板と平行に配置し、この第２上部アーム板の他端と第２下部アーム板の他端及び第３固定筒の挿通穴を貫通して第３連結軸を挿通することにより、係合板を第２アームに水平方向回動自在に接続するとともに、第２下部アーム板の他端外面から第３連結軸まで締付ネジを貫通し、係合板の第３固定筒と第２下部アーム板とのスライドスペーサーを介した接触強度を調整可能としたことを特徴とする請求項１又は６の固定目的部へのテレビ取り付け装置。
【請求項８】
第２アームの第１アーム側又は第１アームの第２アーム側には、上下方向にストッパーピンを突出形成し、第１アームと第２アームとの連結軸を支点とした拡開時には、上記ストッパーピンが第１アーム又は第２アームに形成したピン受部に係合して、上記拡開角度の抑制を可能としたことを特徴とする請求項１、４、５又は７の固定目的部へのテレビ取り付け装置。
【発明の詳細な説明】
【技術分野】
【０００１】
本発明は、テレビ本体を壁面、ラック等の固定目的部に固定して設置するとともに、配置したテレビの水平方向の取り付け角度を任意に調整可能とした固定目的部へのテレビ取り付け装置に関するものである。
【背景技術】
【０００２】
従来より、テレビ本体を壁面やラックに取り付けるための装置として、特許文献１に示す如きものが知られている。この従来技術は、テレビ本体を掛け止めるための係合板の左右両端に一対のアームを回動不能に固定し、このアームに壁面への固定板を回動可能に接続したものである。
【０００３】
また、特許文献２に示す如きテレビ本体の取り付け装置も知られている。この従来技術は、長さ方向の中間部より折曲可能な一対のアームを介してテレビ本体と壁面とを連結し、テレビ本体を水平方向に回動可能としており、テレビ画面の前後方向の配置位置及び水平方向の角度を調整可能としたものである。
【０００４】
【特許文献１】特開２０００−３１２３１８号公報
【特許文献２】実用新案登録第３０６６６００号公報
【発明の開示】
【発明が解決しようとする課題】
【０００５】
しかしながら、前記特許文献１に示す発明に於いては、壁面への固定板がアームに対して回動可能であるから、固定板をアームに対して折り曲げ、壁面の角コーナー等に固定することが可能となるが、テレビ本体の係合板とアームとは回動不能に固定されているため、壁面に取り付けた後は、テレビ本体の画面の左右方向及び上下方向の向きを修正することはできない。そのため、配置後にテレビ視聴者の位置や好みに応じてテレビ本体の角度や位置を調整することができないものである。
【０００６】
また、特許文献２に示す発明に於いては、テレビ本体が中間部より折曲可能な左右一対のアームにより支持されているため、壁面等への固定後、テレビ本体の位置を、前後方向及び左右方向に移動させることが可能となる。しかし、テレビ本体をアームを用いた取り付け装置を介して壁面に取り付けた場合には、テレビ本体の重みでアームが下方にたわみ傾斜し、アームに取り付けたテレビ本体も前傾するものとなるが、特許文献２に示す取り付け装置には、この前傾を修正するための機構が何ら備わっていないため、テレビ画面が視聴者にとって見にくいものとなる。また、特許文献２に示す発明に於ては、アームとテレビ本体又はアームと壁面との固定方法が全く開示されていないが、重いテレビを保持したまま壁面へのアーム取付作業を行うのは、作業性が極めて悪く、危険なものとなる。
【０００７】
そこで、本発明は、上述の如き課題を解決しようとするものであって、テレビ本体を人手により安定して保持した状態で、容易に壁面、ラック等の固定目的部に取り付けることが可能であるとともに、取り付け後にテレビ本体の前後方向及び水平方向の取り付け角度と配置を自在に調整することができ、かつ、取付装置のたわみによるテレビ本体の前傾姿勢を簡易に修正可能とした固定目的部へのテレビ取り付け装置を得ようとするものである。
【課題を解決するための手段】
【０００８】
前述の如き従来技術の課題を解決するため、本発明は、固定目的部に固定するための固定体に、水平方向に回動可能な第１アームの一端を接続し、この第１アームの他端に水平方向に回動可能に第２アームの一端を接続し、この第２アームの他端に、上下方向に係合片を突出した上端部を備えた係合板を水平方向に回動可能に接続し、この係合板にテレビ本体を接続するものである。そのため、テレビ本体を本発明の取り付け装置に取り付けた後も、固定体と第１アーム、第１アームと第２アーム及び第２アームと係合板との位置を回動調整することにより、テレビ本体の前後方向及び水平方向の取り付け角度と配置を自在に調整することが可能となるとともに、テレビ本体の収納時には、第１アーム及び第２アームを固定体と係合板との配置間隔に折りたたんで収納することができ、取り付け装置の収納性も向上する。
【０００９】
また、前記係合板の係合片を挿入係合可能とした係合受部を側面に突出した複数の係合杆を形成し、この係合杆を、テレビ本体に一定の間隔を介して固定するための複数の固定用アングルに、各々支軸を介して回動可能に軸支している。このように配置することにより、テレビ本体の上部を、係合板方向に傾斜させて保持した状態でも係合杆は支軸を支点として上下方向垂直となり、係合杆の係合板への係合を行うことができるため、テレビ本体の上部と下部を側面から人手により安定して保持し、係合杆と係合板との係合部分を側面から目視により確認しながら取り付け作業を行う事が可能となるため、取り付け作業が容易となる。
【００１０】
また、上記係合杆には、係合杆に支軸を介して連結した前記固定用アングルの方向に進退する調整体を螺着挿通し、この調整体を固定用アングルに接続し、調整体を進退して、係合杆と固定用アングルとの接続角度を調整可能としている。そのため、テレビ本体の重みでアームが下方にたわみ傾斜し、テレビ本体の表示面がたわみにより前傾した場合であっても、その前傾を上記調整体により修正することができるため、テレビ本体の表示面を視聴者にとって見やすいものとすることができる。
【００１１】
また、固定体は、固定目的部に固定するための固定板と、この固定板の側面に固定突出し上下方向に挿通穴を貫通した第１固定筒とからなる。そして、この固定体の第１固定筒の上部には、スラストベアリングを介して第１アームの第１上部アーム板の一端を水平に配置するとともに、第１固定筒の下部にスライドスペーサーを介して第１アームの第１下部アーム板の一端を第１上部アーム板と平行に配置し、この第１上部アーム板の一端と第１下部アーム板の一端及び第１固定筒を貫通して第１連結軸を挿通している。このように配置することにより、第１アームを固定体に水平方向回動自在に接続するとともに、上記回動に伴う第１アームと固定体の接触部分の摩擦を軽減して、第１アームの回動を円滑なものとすることができる。
【００１２】
そして、第１下部アーム板の一端外面から第１連結軸まで締付ネジを貫通し、この締付ネジの締め具合の調整を行うことにより、第１アームと固定体との接触強度を、テレビ本体の前後方向及び水平方向の取り付け角度及び配置の修正のための回動時には第１アームが円滑に回動し、かつ、静止時には容易に動かない締め付け強度に調整することが可能となる。
【００１３】
また、第２アームと第１アームとの接続は、第２固定筒の上端に、第１アームの第１上部アーム板の他端を配置し、この第１上部アーム板の他端の上部にスラストベアリングを介して第２アームの第２上部アーム板の一端を水平に配置するとともに、第２固定筒の下端に、第１アームの第１下部アーム板の他端を配置し、この第１下部アーム板の下部に、スライドスペーサーを介して第２アームの第２下部アーム板の一端を、第２上部アーム板と平行に配置し、第２上部アーム板の一端と第２下部アーム板の一端、第１上部アーム板の他端と第１下部アーム板の他端及び第２固定筒を貫通して第２連結軸を挿通している。このように配置することにより、第２アームを第１アームに水平方向回動自在に接続するとともに、上記回動に伴う第２アームと第１アームの接触部分の摩擦を軽減して、第２アームの回動を円滑なものとすることができる。
【００１４】
そして、第２下部アーム板の外面から第２連結軸まで締付ネジを貫通し、この締付ネジの締め具合の調整を行うことにより、第２アームと第１アームとの接触強度を、テレビ本体の前後方向及び水平方向の取り付け角度及び配置の修正のための回動時には第２アームが円滑に回動し、かつ、静止時には容易に動かない締め付け強度に調整することが可能となる。
【００１５】
また、第２アームの第１アーム側又は第１アームの第２アーム側には、上下方向にストッパーピンを突出形成し、第１アームと第２アームとの第２連結軸を支点とした拡開時には、上記ストッパーピンが第１アーム又は第２アームに形成したピン受部に係合して、上記拡開角度を抑制している。このように配置することにより、テレビ本体の前後方向及び水平方向の取り付け角度及び配置の修正の際に、第１アームと第２アームが直線状に伸長することによって、テレビ本体の重量で装置を破損するような虞れを防止することができる。
【００１６】
また、係合板は、上端に係合片を水平方向に突出するとともに、第２アーム方向の側面に第３固定筒を固定突出し、この第３固定筒の上下方向に挿通穴を貫通している。そして、この第３固定筒の上部にスラストベアリングを介して第２アームの第２上部アーム板の他端を水平に配置するとともに、第３固定筒の下端に、スライドスペーサーを介して第２アームの第２下部アーム板の他端を、第２アームの第２上部アーム板と平行に配置し、第２上部アーム板の他端と第２下部アーム板の他端及び第３固定筒を貫通して第３連結軸を挿通している。このように配置することにより、係合板を第２アームに水平方向回動自在に接続するとともに、上記回動に伴う係合板と第２アームの接触部分の摩擦を軽減して、係合板の回動を円滑なものとすることができる。
【００１７】
また、第２アームの第２下部アーム板の他端から第３連結軸まで締付ネジを貫通しこの締付ネジの締め具合の調整を行うことにより、係合板と第２アームとの接触強度を、テレビ本体の前後方向及び水平方向の取り付け角度及び配置の修正のための回動時には係合板が円滑に回動し、かつ、静止時には容易に動かない締め付け強度に調整することが可能となる。
【００１８】
また、前記係合杆の係合受部には、前記係合板の上端に突当てる突当ネジを上下方向に貫通螺着し、係合杆毎に、突当ネジの係合板への突当て長さを調整することにより係合板と係合杆の係合受部との間隔を変化可能としている。このように配置することにより、テレビ本体を取り付け装置に取り付けた際に、テレビ本体内部の左右方向の重量の偏りにより、テレビ本体の表示画面が左側又は右側方向に傾斜した場合も、固定体側に連結する係合板とテレビ本体側に連結する係合杆の係合受部との間隔を調整して、テレビ本体の左右方向の傾斜を修正することが可能となる。
【発明の効果】
【００１９】
本発明は、上述の如く構成したものであって、テレビ取付装置へのテレビ本体の設置作業時に、テレビ本体の上部を、係合板方向に傾斜させて保持した状態で、係合杆を係合板に係合させることが可能であるため、テレビ本体の上部と下部を側面から人手により安定して保持し、テレビ本体の裏面と係合板との係合部分を目視により確認しながら取り付け作業を行う事が可能で、取り付け作業が容易なものとなる。
【００２０】
また、テレビ本体を、水平方向に回動自在な第１アーム、第２アーム及び係合体を介して固定目的部に固定しているため、テレビ本体を本発明の取り付け装置に取り付けた後も、テレビ本体の水平方向の取り付け角度と前後方向の配置を自在に調整することが可能となるとともに、テレビ本体の収納時には、第１アーム及び第２アームを固定体と係合板との配置間隔に折りたたんで収納することができ、取り付け装置の収納性が向上する。
【００２１】
また、テレビ本体のたわみによる前傾を修正するための調整体を設けているため、テレビ本体の重みでアームが下方にたわみ傾斜し、テレビ本体の表示面がたわみにより前傾した場合であっても、その前傾を上記調整体により修正することが可能であり、テレビ本体の表示面を視聴者にとって見やすいものとすることができる。
【実施例１】
【００２２】
本発明の第１実施例を図１〜７に於いて説明すると、(１)はテレビ取り付け装置であって、図１及び図２に示す如く、壁面、ラック等の固定目的部（２）に固定するための固定体（３）に第１アーム（４）及び第２アーム（５）を介して係合板（６）を回動可能に接続し、この係合板（６）に係合可能な係合杆（７）を、テレビ本体（８）の裏面に接続するための固定用アングル（１０）に支軸（１１）を介して回動自在に接続して形成している。なお、本実施例において使用するテレビ本体（８）は、その裏面に、取り付け装置（１）を固定するネジ穴（１２）を、両側にそれぞれ上下一対設けた薄型のテレビを想定したものである。
【００２３】
本実施例１について更に詳細に説明すると、上記固定体（３）は、図１に示す如く、壁面、ラック等の固定目的部（２）に固定するための固定板（１３）と、この固定板（１３）の側面に固定突出した第１固定筒（１４）により形成している。
【００２４】
また、上記第１アーム（４）は、図１に示す如く、第１上部アーム板（１５）と第１下部アーム板（１６）とを第１固定筒（１４）の配置間隔を介して互いに平行に配置し、この第１上部アーム板（１５）と第１下部アーム板（１６）の間に、長方形の支持板（１７）を介装固定して形成し、第１アーム（４）を補強している。そして、第１上部アーム板（１５）の一端の下面と固定体（３）の第１固定筒（１４）の上面の間に、スラストベアリング（１８）を介装するとともに、第１下部アーム板（１６）の上面と第１固定筒（１４）の下面の間に、プラスチック製のスライドスペーサー（２０）を介装している。また、第１上部アーム板（１５）の一端、第１下部アーム板（１６）の一端、第１固定筒（１４）、スラストベアリング（１８）及びスライドスペーサー（２０）には、同一径の挿通穴（２１）を上下方向に貫通形成しており、これらの挿通穴（２１）に第１連結軸（２２）を挿通して、固定体（３）に第１アーム（４）を水平方向回動可能に接続している。
【００２５】
また、上記第１連結軸（２２）の下端には、図１に示す如く、第１下部アーム板（１６）の下面から締付ネジ（２３）を螺着し、この締付ネジ（２３）の締め具合の調整を行い、第１アーム（４）と固定体（３）の第１固定筒（１４）との接触強度を調整可能とすることにより、テレビ本体（８）の向き及び配置の修正のための回動時には、第１アーム（４）が円滑に回動し、かつ、静止時には容易に動かない締付け強度に調整することが可能となる。また、テレビ本体（８）の位置の調整時には、締付ネジ（２３）の締付け強度を弱くし、調整完了時には、強く締付けて、位置を固定するものとしても良い。
【００２６】
そして、第２アーム（５）は、図１に示す如く、第１アーム（４）と同様に、第２上部アーム板（２４）と第２下部アーム板（２５）の間に、第２固定筒（２６）の配置間隔を介して支持板（１７）を介装固定して、第２アーム（５）を補強している。そして、第１上部アーム板（１５）の他端と第１下部アーム板（１６）の他端との配置間隔に第２固定筒（２６）を接触配置した状態で、第１上部アーム板（１５）の他端の上面と第２上部アーム板（２４）の一端の下面との間に、スラストベアリング（１８）を介装するとともに、第１下部アーム板（１６）の他端の下面と第２下部アーム板（２５）の一端の上面との間にプラスチック製のスライドスペーサー（２０）を介装している。また、第２上部アーム板（２４）の一端と第２下部アーム板（２５）の一端、第１上部アーム板（１５）の他端と第１下部アーム板（１６）の他端、第２固定筒（２６）、スラストベアリング（１８）及びスライドスペーサー（２０）には、同一径の挿通穴（２１）を上下方向に貫通形成しており、これらの挿通穴（２１）に第２連結軸（２７）を挿通して、第１アーム（４）に第２アーム（５）を水平方向回動可能に接続している。
【００２７】
また、上記第２連結軸（２７）の下端には、図１に示す如く、第２下部アーム板（２５）の下面から締付ネジ（２３）を螺着し、この締付ネジ（２３）の締め具合の調整を行い、第２アーム（５）と第１アーム（４）との接触強度を調整可能とすることにより、テレビ本体（８）の前後方向及び水平方向の取り付け角度及び配置の修正のための回動時には第２アーム（５）が円滑に回動し、かつ、静止時には容易に動かない締付け強度に調整することが可能となる。また、テレビ本体（８）の位置の調整時には、締付ネジ（２３）の締付け強度を弱くし、調整完了時には、強く締付けて、位置を固定するものとしても良い。
【００２８】
なお、第２アーム（５）が第２連結軸（２７）を介して回動する際に、第１アーム（４）と第２アーム（５）が直線状又は直線状に近い位置になると、取り付け装置（１）にテレビ本体（８）の重量が大きく加えられることとなり、第１アーム（４）や第２アーム（５）を折損する可能性が生じる。そこで、図３に示す如く、第２アーム（５）の第１アーム（４）側には、上下方向にストッパーピン（２８）を突出形成し、第１アーム（４）と第２アーム（５）との第２連結軸（２７）を支点とした拡開時には、上記ストッパーピン（２８）が第１アーム（４）に形成したピン受部（３０）に係合して、上記拡開角度を抑制し、第１アーム（４）と第２アーム（５）の伸張状態の発生を防止し、前述の如き弊害が生じることを防止している。なお、本実施例に於いては、上述の如く、第２アーム（５）の第１アーム（４）側にストッパーピン（２８）を設け、第１アーム（４）の第２アーム（５）側にピン受部（３０）を設けているが、第１アーム（４）の第２アーム（５）側にストッパーピン（２８）を設け、第２アーム（５）の第１アーム（４）側にピン受部（３０）を設けるものであっても良い。
【００２９】
また、上記第２アーム（５）の他端には、図１、図２に示す如く、係合板（６）を回動可能に接続している。この係合板（６）は、左右方向を長径とするとともに、配置するテレビ本体（８）よりも少し小さ目の長方形の金属板により折曲形成しており、この係合板（６）の上端及び下端は、断面Ｌ字形に折曲形成して、上端縁側を係合片（３１）とし、下端縁側を掛止片（３２）としている。
【００３０】
また、係合板（６）には、図１、図２に示す如く補強用の取付プレート（３３）を介して第３固定筒（３４）を水平方向に突出しており、第２上部アーム板（２４）の他端の下面と第３固定筒（３４）の上面との間にスラストベアリング（１８）を介装するとともに、第２下部アーム板（２５）の他端の上面と第３固定筒（３４）の下面との間にプラスチック製のスライドスペーサー（２０）を介装している。また、第２上部アーム板（２４）の他端、第２下部アーム板（２５）の他端、第３固定筒（３４）、スラストベアリング（１８）及びスライドスペーサー（２０）には、同一径の挿通穴（２１）を上下方向に貫通しており、これらの挿通穴（２１）に第３連結軸（３５）を挿通して、第２アーム（５）に係合板（６）を水平方向回動可能に接続している。尚、上記第３固定筒（３４）は、係合板（６）の取付プレート（３３）に上下方向に一定間隔で固定した上部筒体（３６）と下部筒体（３７）との間に連結筒体（３８）を介装することにより形成している。
【００３１】
また、上記第３連結軸（３５）の下端には、図１に示す如く、第２下部アーム板（２５）の下側から締付ネジ（２３）を螺着し、この締付ネジ（２３）の締め具合の調整を行い、係合板（６）の  第３固定筒（３４）と第２アーム（５）との接触強度を調整可能とすることにより、テレビ本体（８）の前後方向及び水平方向の取り付け角度及び配置の修正のための回動時には係合板（６）が円滑に回動し、かつ、静止時には容易に動かない締付け強度に調整することが可能となる。また、テレビ本体（８）の位置の調整時には、締付ネジ（２３）の締付け強度を弱くし、調整完了時には、強く締付けて、位置を固定するものとしても良い。
【００３２】
また、テレビ本体（８）と係合板（６）との接続は、テレビ本体（８）に固定した複数の固定用アングル（１０）に支軸（１１）を介して回動可能に軸支した係合杆（７）を、係合板（６）に係合することにより行う。そして、上記固定用アングル（１０）は、図１、図２に示す如く、テレビ本体（８）の裏面に当接させる当接板（４０）の両側を直角に折曲して両側壁（４１）を設けている。そして、当接板（４０）には、図４に示す如く、その長さ方向の一端側から中央にかけて直径８mmの正円形の取付穴（４２）を複数個貫通形成するとともに、その長さ方向の中央から他端側にかけては、幅方向の径を８mmとし、当接板（４０）の長さ方向に長尺な長円状の長穴（４３）を、複数個貫通形成している。また、前記両側壁（４１）の上端側には、上部軸穴（４４）を貫通形成するとともに、両側壁（４１）の下端側には、下部軸穴（４５）を貫通形成している。
【００３３】
そして、上述の如く形成した固定用アングル（１０）を、テレビ本体（８）の裏面に取り付けるには、テレビ本体（８）裏面の上方に設けられたネジ穴（１２）に、上記固定用アングル（１０）の取付穴（４２）のいずれかを合わせ、テレビ本体（８）裏面の下方に設けられたネジ穴（１２）に上記固定用アングル（１０）の長穴（４３）のいずれかを合わせた状態で、固定ネジ（４６）を螺着して行うものである。
【００３４】
また、本実施例に於いては、上記固定用アングル（１０）の取付穴（４２）及び長穴（４３）の幅方向の径は、前述の如くいずれも８mmとしているが、テレビ本体（８）の裏面に設けられたネジ穴（１２）の径は、各製造メーカーによって４mm、５mm、６mm又は８mmと異なるものである。そのため、ネジ穴（１２）の径が固定用アングル（１０）の取付穴（４２）及び長穴（４３）の径より小さい場合には、固定用アングル（１０）をテレビ本体（８）の裏面に安定して固定することができない。そこで、本実施例に於いては、図４に示す如く、ネジ穴（１２）と同一穴径を設けたワッシャー（４７）を固定用アングル（１０）の取付穴（４２）及び長穴（４３）に重ねて配置し、このワッシャー（４７）を介してテレビ本体（８）のネジ穴（１２）に固定ネジ（４６）を螺着することにより、固定用アングル（１０）をテレビ本体（８）の裏面に安定して固定することを可能としている。
【００３５】
また、上記の如くテレビ本体（８）の上方のネジ穴（１２）に取付穴（４２）を介して固定用アングル（１０）を固定した後、テレビ本体（８）の下方のネジ穴（１２）にも長穴（４３）を介して固定用アングル（１０）を固定する。この上方のネジ穴（１２）と下方のネジ穴（１２）の間隔は販売されているテレビ本体（８）毎に異なるものとなるが、固定用アングル（１０）には長穴（４３）が形成されているから、テレビ本体（８）毎のネジ穴（１２）の形成間隔の違いをすべて吸収することが可能となる。また、テレビ本体（８）の重量は円形の取付穴（４２）を介して受けることができるから、固定用アングル（１０）とテレビ本体（８）との取付後のズレを生じることがないものである。
【００３６】
また、固定用アングル（１０）には係合杆（７）を回動可能に接続する。この係合杆（７）は、図１に示す如く、固定用アングル（１０）の両側壁（４１）間に収納可能な断面コ字形のアングル状に形成している。そして、この係合杆（７）の基盤（３９）の両側を折曲して形成した両側板（５０）の上方を、上記固定用アングル（１０）の上部軸穴（４４）に支軸（１１）を介して回動可能に接続している。また、図５に示す如く、基盤（３９）の上端部を両側板（５０）とは反対側にコ字型に折曲して、この上端部と基盤（３９）との間に挿入間隔を設ける事により、前記係合板（６）の係合片（３１）を挿入係合可能な係合受部（４８）を係合杆（７）に突出形成し、この係合受部（４８）の上壁（５１）に、前記係合板（６）の上端に突当てる突当ネジ（５２）を上下方向に貫通螺着している。また、係合板（６）の下端には、図６に示す如く、上記固定用アングル（１０）の方向に進退する調整体（４９）を螺着挿通している。
【００３７】
また、上記調整体（４９）は、調整ネジ（５３）の先端に、断面コ字形で椀状の固定鉤（５４）の底部を回動可能にカシメ固定して形成している。そして、上記固定鉤（５４）の両側には一対の軸穴（５５）を、前記固定用アングル（１０）の下部軸穴（４５）と対応する位置に設けて、係合杆（７）を固定用アングル（１０）の両側壁（４１）間に挿入配置した状態で固定用アングル（１０）の下部軸穴（４５）と固定鉤（５４）の軸穴（５５）に固定ボルト（５８）を挿通することにより、係合杆（７）の下端と固定用アングル（１０）の下部を回動不能に固定可能としている。
【００３８】
また、係合杆（７）の下部であって、上記調整体（４９）の上方には、支持片（５６）を側面に突出形成し、この支持片（５６）から、支持ネジ（５７）を上方に螺着突出させている。そして、係合板（６）と係合杆（７）とを係合した際には、図６に示す如く、支持片（５６）の上面であって支持ネジ（５７）と係合杆（７）との間隔に係合板（６）の下端を当接するとともに、この係合板（６）に支持ネジ（５７）の先端を下方から突き当てて、係合板（６）の下端と係合杆（７）を固定する。
【００３９】
そして、上述の如く構成した本実施例の取り付け装置（１）にテレビ本体（８）を取り付けるには、まず前述の如く固定用アングル（１０）をテレビ本体（８）に取付け、このテレビ本体（８）を、図１に示す如く、テレビ本体（８）の表示面を上面として、係合板（６）方向に上部を傾斜させて人手等により保持するとともに、係合杆（７）を支軸（１１）を支点として係合板（６）の上下方向と平行に配置した状態で、係合板（６）の係合片（３１）に係合杆（７）の係合受部（４８）を上方から引っ掛けて係合させる。そして、テレビ本体（８）と固定用アングル（１０）を、支軸（１１）を介して下方に回動させて係合杆（７）と平行に配置し、固定用アングル（１０）の下部軸穴（４５）と係合杆（７）の軸穴（５５）とを重ねて固定ボルト（５８）を挿通し、係合杆（７）の下端と固定用アングル（１０）の下部を回動不能に固定する。
【００４０】
本実施例に於いては、このようにテレビ本体（８）を係合板（６）方向に上部を傾斜させた状態で、係合板（６）の係合片（３１）に係合杆（７）の係合受部（４８）を引っ掛けることにより、係合板（６）と係合杆（７）との係合を行うものである。そのため、テレビ本体（８）の上部と下部を側面から人手により安定して保持し、係合片（３１）と係合受部（４８）の係合を目視により確認しながら取り付け作業を行う事が可能となるため、取り付け作業を容易なものとすることができる。
【００４１】
そして、テレビ本体（８）を取り付け装置（１）に取り付けると、テレビ本体（８）の重みで第１アーム（４）及び第２アーム（５）が下方にたわみ傾斜し、取り付け装置（１）に取り付けたテレビ本体（８）及びその表示面も前傾するものとなり、視聴者にとって、テレビ本体（８）の表示面が見づらいものとなる。また、このたわみ傾斜の発生を完全に防止しようとすると、各部材の強度を増強しなければならず、取り付け装置（１）が大型で高価なものとなり、実用的でない。そこで、本実施例に於いては、係合板（６）の下端に設けた前記調整体（４９）によって、テレビ本体（８）及びその表示面のたわみによる前傾を修正可能としている。
【００４２】
そして、調整体（４９）によりテレビ本体（８）及びその表示面のたわみによる前傾を修正するには、図６に示す如く、固定鉤（５４）の軸穴（５５）と固定用アングル（１０）の下部軸穴（４５）に固定ボルト（５８）を挿通して固定用アングル（１０）と係合杆（７）とを固定した状態で、調整体（４９）の調整ネジ（５３）を巻き回して、調整ネジ（５３）の先端を固定用アングル（１０）方向に前進させる。そして、調整ネジ（５３）の先端に回動可能にカシメ固定した固定鉤（５４）により、固定用アングル（１０）をテレビ本体（８）側に押圧して、固定用アングル（１０）の下方を支軸（１１）を介してテレビ本体（８）側に回動させ、テレビ本体（８）の上部と下部とを固定目的部（２）の上下方向と水平に配置する。
【００４３】
このように、本実施例に於いては、テレビ本体（８）の重みで第１アーム（４）及び第２アーム（５）が下方にたわみ傾斜し、テレビ本体（８）の表示面がたわみにより前傾した場合であっても、その前傾を上記調整体（４９）により修正することが可能であり、テレビ本体（８）の表示面を視聴者にとって見やすいものとすることができる。また、この取り付け装置（１）に取り付けるテレビ本体（８）は各製品毎に重量が異なるため、たわみ傾斜の角度も各製品毎に異なるものとなるが、この場合にも広く対応できるものである。
【００４４】
また、テレビ本体（８）を取り付け装置（１）に取り付けると、テレビ本体（８）内部の左右方向の重量の偏りにより、テレビ本体（８）が右側又は左側に傾斜してしまう場合があり、テレビ本体（８）の表示面が、視聴者にとって見づらいものとなる。そこで、本実施例に於いては、係合板（６）の係合受部（４８）に設けた突当ネジ（５２）によって、テレビ本体（８）及びその表示面の左右方向の傾斜を修正可能としている。
【００４５】
そして、テレビ本体（８）及びその表示面の左右方向の傾斜を修正するには、図５に示す如く、係合板（６）の係合片（３１）と係合杆（７）の係合受部（４８）とを係合した状態で、テレビ本体（８）の左右方向に於いて、傾斜して下がっている側に配置した係合杆（７）の係合受部（４８）に設けた突当ネジ（５２）で、係合板（６）の上端を下方に押圧して、係合受部（４８）を係合板（６）に対して上方に押し上げる。そして、この押し上げにより、係合杆（７）と、係合杆（７）に支軸（１１）を介して接続した固定用アングル（１０）を上方に押し上げるとともに、固定用アングル（１０）に固定したテレビ本体（８）の片側を上方に押し上げて、テレビ本体（８）を、左右方向に於いて水平に配置する。
【００４６】
このように、本実施例に於いては、テレビ本体（８）の表示面の左右方向の姿勢を修正することが可能であるため、テレビ本体（８）の表示面を視聴者にとって見やすいものとすることができる。また、テレビ本体（８）の左右方向の重量バランスはテレビ本体（８）毎に異なるものであるから、左右方向の傾斜量もテレビ本体（８）毎に異なるものとなるが、この場合にも広く対応できるものとなる。
【００４７】
また、本実施例に於いては、前述の如く構成することにより、第１アーム（４）を固定体（３）に水平方向に回動可能に接続し、第２アーム（５）を第１アーム（４）に水平方向に回動可能に接続し、係合板（６）を第２アーム（５）に水平方向に回動可能に接続するものとなる。そのため、図７ａに示す如く、テレビ本体（８）を本発明の取り付け装置（１）に取り付けた後も、テレビ本体（８）の前後方向及び水平方向の取り付け角度と配置を自在に調整することが可能となる。また、テレビ本体（８）の収納時には、図７ｂに示す如く、第１アーム（４）及び第２アーム（５）を固定体（３）と係合板（６）との配置間隔に折りたたんで収納することができ、取り付け装置（１）の収納性が向上する。
【図面の簡単な説明】
【００４８】
【図１】本発明の一実施例を示す側面図。
【図２】本発明の一実施例を示す斜視図。
【図３】第２連結軸部分の拡大斜視図。
【図４】テレビ本体に固定用アングルを取り付ける状態を示す斜視図。
【図５】係合受部部分の拡大断面図。
【図６】調整体部分の拡大断面図。
【図７】アーム部分の回動状態及び収納状態を示す平面図。
【符号の説明】
【００４９】
１  テレビ取り付け装置
２  固定目的部
３  固定体
４  第１アーム
５  第２アーム
６  係合板
７  係合杆
８  テレビ本体
１０  固定用アングル
１１  支軸
１３  固定板
１４  第１固定筒
１５  第１上部アーム板
１６  第１下部アーム板
１８  スラストベアリング
２０  スライドスペーサー
２１  挿通穴
２２  第１連結軸
２３  締付ネジ
２４  第２上部アーム板
２５  第２下部アーム板
２６  第２固定筒
２７  第２連結軸
２８  ストッパーピン
３０  ピン受部
３１  係合片
３４  第３固定筒
３５  第３連結軸
４８  係合受部
４９  調整体
５２  突当ネジ
【図１】
2008167232.tif 000003
【図２】
2008167232.tif 000004
【図３】
2008167232.tif 000005
【図４】
2008167232.tif 000006
【図５】
2008167232.tif 000007
【図６】
2008167232.tif 000008
【図７】
2008167232.tif 000009